(57)【要約】      （修正有）【課題】雄面ファスナー及び雌面ファスナーのいずれか一方、又は両方に弾性体を配設し、雄面ファスナーと雌面ファスナーで挟持する対象物を弛みなく強固に固定することが可能な面ファスナーを提供する。【解決手段】ファスナー１は、雄面ファスナー１０と雌面ファスナー２０とからなり、雄面ファスナー及び雌面ファスナーのいずれか一方、又は両方に、ゴム、樹脂及びエラストマーのうちから選ばれる１種からなる弾性体１２を備える。弾性体の摩擦力により雄面ファスナーと雌面ファスナーで配線等を挟持するときは、滑りを防止し対象物を強固に挟持できる。【選択図】図１
2014004124.tif 000002
【特許請求の範囲】
【請求項１】
雄面ファスナーと雌面ファスナーとからなる面ファスナーであって、
上記雄面ファスナー及び上記雌面ファスナーのいずれか一方、又は両方に、ゴム、樹脂及びエラストマーのうちから選ばれる１種からなる弾性体を備えることを特徴とする面ファスナー。
【請求項２】
上記弾性体が、棒形状である請求項１に記載の面ファスナー。
【請求項３】
上記弾性体が、十字形状である請求項１に記載の面ファスナー。
【請求項４】
上記弾性体が、ゴムからなる請求項１乃至請求項３のいずれかに記載の面ファスナー。
【請求項５】
上記弾性体が、シリコンゴムからなる請求項４に記載の面ファスナー。
【発明の詳細な説明】
【技術分野】
【０００１】
本願は面ファスナーに関する。詳しくは雄面ファスナー及び雌面ファスナーのいずれか一方、又は両方にゴム等の弾性体を備える両面ファスナーに関する。
【背景技術】
【０００２】
面ファスナーは、性能が安定し、安価に入手できるようになり、一般生活に浸透してきている。例えば、パソコンの複雑な配線を雄面ファスナーと雌面ファスナーで挟んで固定して整理するとき、あるいは、あらかじめ衣服に面ファスナーを取付けておいて、この衣服を洗濯してハンガーにかけて乾燥するとき、ハンガーを雄面ファスナーと雌面ファスナーで挟んで固定するときには、洗濯バサミが不要であり、便利である。
【０００３】
しかし、面ファスナーを構成する雄面ファスナーはフック状に起毛され、雌面ファスナーはループ状に起毛されていて、雌雄の両面を強固に閉じるために、硬くて柔軟のない樹脂が使用されている。このため、雌雄のファスナー面は摩擦力が小さく、これで挟んだ配線は使用中に弛んでくる。また、ハンガー等に吊るされた洗濯物は、風で当初に固定した位置からずれてしまい、乾燥後の衣服の形状が変形したり、乾燥条件が悪くなったりする。
【０００４】
本願面ファスナーは、上述した従来のファスナーの雄面ファスナー及び雌面ファスナーの摩擦力を大きくすることにより、日常生活における面ファスナーの用途をひろげ、新たな利用方法を提案する。
【発明の概要】
【発明が解決しようとする課題】
【０００５】
本願発明は、雄面ファスナー及び雌面ファスナーのいずれか一方、又は両方に弾性体を配設し、雄面ファスナーと雌面ファスナーで挟持する対象物を弛みなく強固に固定することが可能な面ファスナーを提供する。
【課題を解決するための手段】
【０００６】
本願発明の面ファスナーとは、雄面ファスナーと雌面ファスナーとからなるものであり、両面において押し付けられるとそれだけで貼り付くようになっており、貼り付けたり剥がしたりすることが自在にできるものをいい、通常、雄面ファスナーはフック状に起毛されたものであり、雌面ファスナーはループ状に起毛されている。本願に係る面ファスナーはこれに限定されるものでなく例えば、フックとループ両方が植え込まれており、フック面とループ面との区別のないタイプも本願面ファスナーに含まれる。
【０００７】
本願発明の面ファスナーは、雄面ファスナー及び雌面ファスナーのいずれか一方、又は両方に、ゴム、樹脂及びエラストマーのうちから選ばれる１種からなる弾性体を備える。面ファスナーは、フックとループを強固に結合させるためにフック及びループは硬くて、摩擦力の小さい樹脂素材を使用するため、従来技術に係る雄面ファスナーと雌面ファスナーでものを挟持するときは、滑りが生じて対象物を強固に挟持できない。本願発明の面ファスナーは、雄面ファスナー又は雌面ファスナーに上述の弾性体を設けて、この挟持対象物を強固に固定する。
【０００８】
本願発明の面ファスナーに係る雄面ファスナー及び雌面ファスナーの備える弾性体の素材は、柔軟性があり、摩擦力の大きいゴム、樹脂及びエラストマーのなかから選ばれる一種である。好ましくはゴムを用いる。ゴムは摩擦力が大きく、安価で入手が容易であるためである。また、ゴムのうちでもシリコンゴムが好ましい。シリコンゴムは通常白色透明であり、このシリコンゴムに接触したものは、着色による汚れが生じにくいためである。
【０００９】
上述の弾性体は、雄面ファスナーに取付けることもでき、雌面ファスナーに取付けることもできる。通常はいずれか一方にこの弾性体が取付けてあれば、本願面ファスナーで挟持されるものは、弾性体の摩擦力により、強固に固定される。また、雄面ファスナーと雌面ファスナーの両方にも取付けることができる。この場合には、本願面ファスナーの挟持対象物は一層強固に固定できる。
【００１０】
この弾性体の形状は、棒形状のものが好ましい。弾性体が棒形状であれば挟持対象物に容易に接触させることができ、この弾性体の摩擦力により、挟持対象物を強固に固定できる。通常、面ファスナーは必要な分だけ切取って使用するため、この切取った部分にこの棒形状の弾性体が存在するものは本願面ファスナーに含まれる。
【００１１】
この弾性体の形状は、更に好ましくは十字形状である。十字形状であれば挟持対象物に更に容易に接触させることができ、挟持対象物が滑って固定が弛むことが無いためである。通常、面ファスナーは必要な分だけ切取って使用するため、この切取った部分に十字形状の弾性体が存在するものは本願面ファスナーに含まれる。
【発明の効果】
【００１２】
本願面ファスナーを用いる場合は、雄面ファスナーと雌面ファスナーで挟持する対象物を弛むことなく強固に固定できる。
また、弾性体を雄面ファスナー又は雌面ファスナーの一方に備えるものであれば、これで挟持したものを弛むことなく強固に固定する。
更に、弾性体を雄面ファスナー及び雌面ファスナーの両方に備えるものは、これで挟持したものを弛むことなく一層強固に固定できる。
【００１３】
また、棒形状の弾性体は形状が単純で、本願面ファスナーの作成が容易である。
更に、この弾性体が十字形状であれば、弾性体が挟持対象物との接触が容易であり、本願面ファスナーの使用が容易となる。
また、この弾性体がゴム、樹脂及びエラストマーのなかから選ばれる一種からなる場合は、摩擦力が大きく本願面ファスナーを用いて、ものを挟持するときは挟持対象物を強固に固定できる。
更に、この弾性体がゴムである場合は、安価且つ入手が容易である。
また、このゴムがシリコンゴムである場合は、白色透明であり挟持対象物を汚すことがない。
【図面の簡単な説明】
【００１４】
【図１】本願面ファスナーを構成する雄面ファスナー及び雌面ファスナーに弾性体を取付けた態様を説明する図である。
【図２】棒形状の弾性体を備えた雄面ファスナーを示す図である。
【図３】十字形状の弾性体を示す説明図である。
【図４】十字形状の弾性体を備えた雄面ファスナーを示す図である。
【図５】十字形状の弾性体を雄面ファスナーに取付ける方法の１例を示す図である。
【図６】本願面ファスナーの使用例を示す説明図である。
【図７】配線を固定したときの要部の１部断面図である。
【図８】衣服に本願面ファスナーを使用した説明図である。
【発明を実施するための形態】
【００１５】
以下、本願面ファスナー１を図に基づいて詳細に説明する。これらの図は本発明を説明するために模式的に描いたものであり、本発明はこれらの図に拘束されるものではない。また、部材等の符号（番号）は、共通のものは共通して用いている。更に、図から明らかな部材等は符号が省略してある。
【００１６】
本願面ファスナー１は、雄面ファスナー１０と雌面ファスナー２０とからなり、上記雄面ファスナー１０及び上記雌面ファスナー２０のいずれか一方、又は両方に、ゴム、樹脂及びエラストマーのうちから選ばれる１種からなる弾性体１２を備える。
【００１７】
通常、雄面ファスナーはフック状に起毛されたものであり、雌面ファスナーはループ状に起毛されている。本願面ファスナー１はこれに限定されるものではなく例えば、フックとループ両方が植え込まれており、フック面とループ面との区別のないタイプも本願両面ファスナー１に含まれる。
【００１８】
図１は、本願面ファスナーを構成する雄面ファスナー及び雌面ファスナーに弾性体を取付けた態様を説明する図である。
図１（ａ）は、雄面ファスナー１０に弾性体１２を備える面ファスナー１であり、その平面図と正面図を表す。
図１（ｂ）は、雌面ファスナー２０に弾性体１２を備える面ファスナー１であり、その平面図と正面図を表す。
図１（ｃ）は、雄面ファスナー１０と雌面ファスナー２０の両方に弾性体１２を備える面ファスナー１であり、その平面図と正面図を表す。
【００１９】
図１に示すように、弾性体１２の上面は雄面ファスナー１０の備えるフック状の起毛１１及び雌面ファスナー２０の備えるループ状の起毛２１の上になる。弾性体の形状は特に限定されないが、好ましくは棒形状である。図１には、棒形状の弾性体１２を表わしている。
【００２０】
図２は、棒形状の弾性体を備えた雄面ファスナーを示す図である。この棒形状の弾性体１２は雄面ファスナー１０及び/又は雌面ファスナー２０に種々の態様で配設される。図２（ａ）、図２（ｂ）、図２（ｃ）は、棒形状１２の弾性体を備える本願面ファスナー１である。
【００２１】
面ファスナーは、通常は必要に応じて雄面ファスナー１０、雌面ファスナー２０を切取って切片として使用する。本願面ファスナーも必要に応じて雄面ファスナー１０、雌面ファスナー２０を切取って切片として使用する。即ち、この切片に棒形状１２の弾性体が存在すれば本願面ファスナー１を構成する。図２は雄面ファスナー１０に棒形状の弾性体が描かれているが、雌面ファスナー２０の場合も同様である。
【００２２】
上述の弾性体は、更に好ましくは十字形状である。この十字形状とは厳密な意味ではなく、略十字形状をいう。
図３は十字形状の弾性体を表す説明図である。図３（ａ）は平面図を表わし、図３（ｂ）は正面図を表わし、図３（ｃ）は側面図を表す。
【００２３】
図４は、十字形状の弾性体を備えた雄面ファスナーを示す図である。この十字形状の弾性体１２は雄面ファスナー１０及び/又は雌面ファスナー２０に種々の態様で配設される。図４（ａ）、図４（ｂ）も本願面ファスナー１に係る雄面ファスナー１０又は雌面ファスナー２０が備える十字形状１２の弾性体である。
【００２４】
面ファスナーは、通常は必要に応じて雄面ファスナー１０及び雌面ファスナー２０を切取って切片として使用する。本願面ファスナー１も必要に応じて雄面ファスナー１０、雌面ファスナー２０を切取って切片として使用する。即ち、この切片に十字形状１２の弾性体が存在すれば本願面ファスナー１を構成する。図４は雄面ファスナー１０に十字形状の弾性体１２が描かれているが、雌面ファスナー２０の場合も同様である。
【００２５】
上述の弾性体の雄面ファスナー１０又は雌面ファスナー２０への取付け方法は特に限定は無い。
図５は十字形状の弾性体１２を雄面ファスナー１０に取付ける方法の１例を示す図である。
図５（ａ）は十字形状の弾性体１２を雄面ファスナー１０に取付ける前の状態を示す。雄面ファスナー１０のフック状の起毛１１を十字形状に熱等で溶かしとり、この起毛溶かし跡１２ａを作成する。この起毛溶かし跡１２ａにこれと同形状の弾性体１２を接着剤で接着し、又は熱等で接着する。上述の方法に限らず、他の方法としては、上記起毛溶かし跡１２ａに湿気、空気、乾燥等で硬化するペースト状のゴム、樹脂等を塗布して作成することもできる。
図５（ｂ）は、十字形状の弾性体を雄面ファスナー１０に取付けた後の状態を示す。
【００２６】
ここで上記弾性体１２は、ゴム、樹脂及びエラストマーのうちから選ばれる１種からなる。これらのうちで弾性を有するものであれば特に限定されることは無いが、特に柔軟性に富み、摩擦力の大きいものが好ましく用いられる。
【００２７】
弾性を有するゴムの例としては、ブタジエンゴム、１，２−ポリブタジエン、ポリイソプレン、アクリロニトリル−ブタジエンゴム、スチレン−ブタジエンゴム等のジエン系重合体、アクリルゴム、エチレン−プロピレン共重合体、エチレン−プロピレン−非共役ジエン共重合体、シリコンゴム、フッ素ゴム及びスチレン−イソプレンゴム等が挙げられる。
【００２８】
樹脂の例としては、ポリエチレン、ポリプロピレン、ポリブテン、ポリエチレンテレフタラート、エチレン酢酸ビニル共重合体等のポリオレフィン系樹脂、スチレン−ブタジエン−スチレン共重合体の水素添加ブロック共重合体（ＳＥＢＳ）、ポリ塩化ビニル、ポリ酢酸ビニル、ポリ塩化ビニリデン等のビニル系樹脂、ポリフッ化ビニリデン等のフッ素系樹脂・ゴム、ポリメタクリル酸メチル等のアクリル系樹脂・ゴム、ポリスチレン、アクリル−スチレン共重合体、ナイロン−６、ナイロン−６６、ナイロン−１２等のポリアミド系樹脂、ポリエステル系樹脂、及びウレタン樹脂等の熱可塑性樹脂、触媒または熱、光等の外部エネルギーを加えることで硬化するウレタン樹脂、エポキシ樹脂、アクリル樹脂、不飽和ポリエステル樹脂、ビニルエステル樹脂、アクリロニトリル−スチレン−ブタジエン共重合体（ＡＢＳ樹脂等）、スチレン−ブタジエン−スチレン共重合体等が挙げられる。
【００２９】
エラストマーの例としてはポリオレフィン系、ポリウレタン系、ポリスチレン系、ポリエステル系、ポリアミド系及びポリ塩化ビニル系等の熱可塑性エラストマーが挙げられる。
【００３０】
これらのうちで、ゴムが好ましい。安価であり、入手が容易であり、通常は柔軟性に富み、摩擦力も大きい。また、ゴムのうちでも特にシリコンゴムが好ましく用いられる。シリコンゴムは白色透明であり、これに接触する物を汚すおそれが少なく、更に柔軟性があり、摩擦力も大きいためである。
【００３１】
図６は本願面ファスナー１の使用例を示す説明図である。図６（ａ）は配線３０を面ファスナー１を用いて固定する前の説明図である。図６（ｂ）は配線３０を固定した後の説明図である。本図では雄面ファスナー１０と雌面ファスナー２０を用いて配線３０を固定したときに、棒形状の弾性体１２が配線３０と接触して棒形状の弾性体１２の摩擦力で配線３０が弛むことがない。
【００３２】
図７は配線３０を固定したときの１部断面図である。
図７（ａ）は、従来技術の面ファスナーを用いて配線３０を固定したときの要部の１部断面図を示す。面ファスナーは、フックとループを強固に結合させるためにフック及びループは硬くて、摩擦力の小さい樹脂素材を使用する。このため、従来技術の面ファスナーを構成する雄面ファスナーと雌面ファスナーでものを挟持するときは、滑りが生じて強固に固定できない。図７（ａ）においては、配線３０は紙面に対して垂直に滑りが生じて強固に固定できない。
【００３３】
図７（ｂ）は、雄面ファスナー１０に弾性体１２を取付けた本願面ファスナー１における図６（ｂ）に係るＡ−Ｂ線の１部断面図である。この場合弾性体１２が配線３０と接触しているため、弾性体１２の摩擦力で配線３０は強固に固定される。
【００３４】
図７（ｃ）は、雄面ファスナー１０と雌面ファスナー２０の両方に弾性体１２を取付けた本願面ファスナー１における図６（ｂ）に係るＡ−Ｂ線の１部断面図である。この場合両方のファスナー面に設けられた弾性体１２の２個が配線３０と接触しているため、配線３０は更に強固に固定される。
【００３５】
図８は衣服に本願面ファスナー１を使用した説明図である。
図８(ａ)は、１部破断斜視図である。本願面ファスナー１を構成する雄面ファスナー１０と雌面ファスナー２０をシート３００に逢着してこのシート３００を衣服１００の肩先と衿の中間の裏側に固着する。この衣服１００を洗濯後にハンガー２００に吊るして乾燥するさいにこの雄面ファスナー１０及び雌面ファスナー２０でハンガー２００を挟持して固定する。
図８(ｂ)は、図８(ａ)に係るＡ−Ｂ線の１部断面図である。
【００３６】
この場合、乾燥中の衣服１００は、弾性体の作用でハンガー２００に強固に固定され、ずれることが無く、衣服のネックラインを当初の形状に保ったまま乾燥が終了する。このため、衿が伸びることがない。また、洗濯バサミは不要である。
【符号の説明】
【００３７】
１          本願面ファスナー
１０        雄面ファスナー
１１        フック状起毛
１２        弾性体
１２ａ      起毛溶かし跡
２０        雌面ファスナー
２１        ループ状起毛
３０        配線
１００      衣服
２００      ハンガー
３００      シート
【図１】
2014004124.tif 000003
【図２】
2014004124.tif 000004
【図３】
2014004124.tif 000005
【図４】
2014004124.tif 000006
【図５】
2014004124.tif 000007
【図６】
2014004124.tif 000008
【図７】
2014004124.tif 000009
【図８】
2014004124.tif 000010